(57)【特許請求の範囲】
【請求項１】
複数の基本ディスプレイまたは基本ユニットを水平方向に配列し、かつ付設の傾斜機構により傾斜させた状態で保持自在とし、中央の基本ディスプレイまたは基本ユニットに対して、左右の基本ディスプレイまたは基本ユニットを、それぞれ蝶番により連結し、互いに隣接する基本ディスプレイまたは基本ユニット同士の間隔が、基本ディスプレイまたは基本ユニットの上方側と下方側とで異なることを特徴とするマルチディスプレイ装置。
【請求項２】
前記蝶番における連結半部の基本ディスプレイまたは基本ユニットに対する結合位置と、互いに隣接する基本ディスプレイまたは基本ユニットを連結する前記蝶番の支軸中心との距離が、上方側と下方側とでは異なることを特徴とする請求項１に記載のマルチディスプレイ装置。
【請求項３】
前記蝶番の連結において、上方側結合部と下方側結合部とを繋げて一体にしたものであることを特徴とする、請求項１又は２に記載のマルチディスプレイ装置。
【発明の詳細な説明】
技術分野
この発明は、例えばコンピュータ装置を構成するディスプレイ装置に関し、表示すべき画像が大きい場合でも表示可能とする一方で、複数の画像を表示させることも可能としたマルチディスプレイ装置を提供することを目的としたものである。
背景技術
近年、ディスプレイ装置等を含むコンピュータ装置の長足の進歩に伴い、その要求される機能の１つとして表示画面をより大きくすること、及び複数の画像の表示を同時に行うことが求められている。
例えば、ＣＡＤ、ＣＡＭ装置においては、作成すべき機械組立図等が大きな領域を占めるため、高解像度で大画面のディスプレイ装置が必要になる。
しかしながら、一般に使用されている高解像度のディスプレイ装置は、大きいもので２３インチ大のものであるため、機械組立図などを一覧表示できないものであった。この結果、機械設計者は、上記組立図などの一部分を表示させて当該機械組立図などを修正する等しており、このような使用方法は、設計等をする者にとって非常に面倒であった。
また、事務等で使用するコンピュータ装置においても、例えば予め作成していた一覧表を見ながら他の書類を作成することがある。このような場合、例えばディスプレイ装置の画面を２つに分割し、１つの画面に例えば上記一覧表を表示させるとともに、他の画面に書類を作成するためのワープロソフトを立ち上げるとする。しかしながら、この装置を用いた場合、１つのディスプレイ装置の表示画面を２つに分割するものであるため、それぞれの表示画面の面積は小さなものとなり、例えば一覧表全体が表示されなかったりして書類の作成が円滑にできない等、新たな問題が生じてしまう。
さて、複数のディスプレイ装置を並べて、１つの画像を表示する事や、各画面に別々の画像を表示させる事は、従来から行われている。この時のディスプレイ装置の並べ方としては、それぞれ支持台で支持されたそれらを、単に机の上に水平および／または垂直方向に置く方法や、それぞれアームで支持された複数のディスプレイ装置を水平および／または垂直方向に配置する方法がある。
しかし、これらの並べ方では、次のような問題点がある。すなわち、いずれの場合も個々のディスプレイ装置が、幅の広い外枠を有しているため、画面と画面との間が広くなってしまい、画面のサイズが大きいほど見難くなる。
また、ディスプレイ装置と同数の支持台や支持アームが必要になり、設置スペースが大きくなってしまう。特に、支持アームを使用する場合、アームが固着される台や壁などの支持体が必要になり、装置としては大掛かりになるため高価になり、また移設するのに手間がかかる。
また、表示される画像によっては、通常の横長の画面よりも縦長の画面の方が使い勝手が良い場合がある。このような場合、従来はディスプレイ装置の表示部を９０度回転させていたが、そのために表示部を９０度回転させる機構と専用のソフトが必要になり、その費用もかかるという問題があった。
発明の開示
そこで、本発明では、表示すべき画像が大きい場合でもそれを一覧表示可能とする一方で、複数の画像を同時に表示させることも可能で、さらに表示部を９０度回転させる機構及び専用のソフトを必要とせずに横長の画面または縦長の画面に画像を表示できるマルチディスプレイ装置を提供することを目的としている。
本発明に係るマルチディスプレイ装置の一態様は、ディスプレイとしての機能を有する基本ディスプレイを複数個、上下方向と水平方向との少なくとも一方向に配列したことを特徴とするものである。ここで，基本ディスプレイとは、画像表示部と、その周りの支持枠とからなるものである。
また、上記構成において、複数の基本ディスプレイを上下または左右の少なくとも一方向に隣接させて成る基本ユニットを複数個、上下方向と水平方向の少なくとも一方向に配列したことを特徴とするものである。
例えば上下に２つの基本ディスプレイを配設する構成の基本ユニットを採用すれば、上記基本ユニット２つを水平に並べることにより、上下に２面、左右に２面の合計４面の省スペースで、ポータブルなマルチディスプレイ装置を構成できる。
この構成により、４画面一杯に１つの大きな画像が表示でき、また４つの画像をそれぞれの画面に表示させる事が可能で、各画面を参照しながら行う作業には最適である。更に、表示部を９０度回転させる機構およびその為の専用ソフトを必要とせずに、縦長の画像、横長の画像を表示できる。
また、この基本ユニットは、その個数を増やすことにより、多数画面が実現できる拡張性を有している。インターネット時代にあっては、この基本ユニットを使うことにより、画面をスクロールしないで、縦長の画像を一覧表示できるメリットは大きいものである。
また、上記構成において、複数個の基本ディスプレイが１つの外枠内に組み込まれていることを特徴とするものである。
この構成によれば、画面と画面との間隔を最小限にでき、装置の軽量化を図ることができる。
上記構成において、互いに隣接する基本ディスプレイまたは基本ユニットを、互いに対向する側面部分若しくは該側面部分に固定の部分同士を、連結部材を使用した連結機構により連結させて成ることを特徴とするものである。
この構成によれば、互いに隣接する基本ディスプレイまたは基本ユニットを連結させることにより、利用者にとって画面が見やすくなると同時に、マルチディスプレイ装置の省スペース化が図れる。
また、上記構成において、互いに隣接する基本ディスプレイまたは基本ユニット同士のなす角度が、任意に調整保持できることを特徴とするものである。
この構成によれば、利用者にとって画面が見やすくなる。
また、上記構成において、複数の基本ディスプレイまたは基本ユニットを水平方向に配列し、中央の基本ディスプレイまたは基本ユニットに対して左右の基本ディスプレイまたは基本ユニットを連結機構により連結する。この場合、互いに隣接する基本ディスプレイまたは基本ユニット同士の間隔が、それらの上方側と下方側とで異なることを特徴とするものである。
次に上記構成において、互いに隣接する基本ディスプレイまたは基本ユニットに連結される連結部材の結合位置と、基本ディスプレイ間または基本ユニット間の中心位置との距離が、上方側と下方側とでは異なることを特徴とする。
この構成によれば、マルチディスプレイ装置による表示全体を見やすくするために、中央の基本ディスプレイまたは基本ユニットを、その画面の上側が利用者から遠ざかるように上下方向に傾斜させ、更に、これに隣接する左右の画面を、中央の画面に対して前方向（利用者側）に傾斜させても、左右の基本ディスプレイまたは基本ユニットの下端部が傾斜して画面が見づらくなる事が無くなる。
なお、上記構成において、互いに隣接する基本ディスプレイまたは基本ユニットを連結する上方側と下方側の連結部材が、上下合わせて一体なものであることを特徴としている。
また、上記構成において、前記基本ディスプレイは、付設の傾斜機構により傾斜させた状態で保持自在としたことを特徴とする。
このような構成を採用することにより、利用者にとって表示画面が一層見やすくなる。
【図面の簡単な説明】
図１は、本発明における基本ディスプレイの説明図である。
図２は、本発明にかかるマルチディスプレイ装置の第１の実施形態である基本ユニットを示す略傾斜図であり、これは複数個の基本ディスプレイが１つの外枠に組み込まれている状態を示している。
図３は、上記第１の実施形態の側面図であり、これは付設の傾斜機構の例を示している。
図４は、第２の実施形態を示す正面図であり、これは第１の実施形態の基本ユニットを水平方向に２つ並べたものである。
図５は、第３の実施形態を示す斜視図であり、これは１つの基本ディスプレイの上側に、別の基本ディスプレイを、固定式の連結機構（連結部材として固定ブロックとネジを使う）を用いて、垂直面内で角度をなすようにして連結したものである。
図６は、第３の実施形態の変形例を示す側面図であり、これは１つの基本ディスプレイの上側に、別の基本ディスプレイを、可動式の連結機構（連結部材として長穴を有するブロック材と該長孔に滑合する締め付けネジを使う）を用いて両基本ディスプレイ間の相対位置を調整可能にして連結したものである。
図７及び図８は、第４の実施形態の側面図及びそのVIII−VIII断面図であって、これは円弧状のレールとガイドとからなる連結部材を用いることにより上下の基本ディスプレイ同士のなす角度を調整可能にしている。
図９及び図１０は、第５の実施形態の側面図及び要部拡大側面図であって、これは上下の基本ディスプレイ同士のなす角度を調整し保持する垂直面内の傾斜角度調整機構付きの蝶番からなる連結機構を有している。
図１１は、本発明に係るマルチディスプレイ装置の第６の実施形態を示す略斜視図であり、これは３つの基本ディスプレイを水平面内の傾斜角度調整機構付きの蝶番からなる連結機構を用いて水平方向に連結したものである。
図１２は、上記第６の実施形態の平面図である。
図１３は、図１２のＸIII−ＸIII線に沿う断面図である。
図１４は、上記第６の実施形態における隣接する２つの基本ディスプレイの上方側において、互いに対向する外枠の側面部分を連絡部材（蝶番の例）で連結した状態を示す一部破断平面図である。
図１５は、上記第６の実施形態における隣接する２つの基本ディスプレイの下方側において、互いに対向する外枠の側面部分を連結部材（蝶番の例）で連結した状態と、水平面内の傾斜角度調整機構を示す一部破断平面図である。
図１６は、上記第６の実施形態における連結部材（蝶番の例）の上方側と下方側を一体にして例示した斜視図であって、上方側と下方側では結合穴の位置が異なることを示している。
図１７は、第７の実施形態の正面図であって、上記第６の実施形態における各基本ディスプレイの上方に基本ディスプレイを追加してそれぞれ上下２面からなる基本ユニットにし、合計６画面構成としたマルチディスプレイ装置を示している。
発明を実施するための最良の形態
次に本発明の実施形態を、添付図面を参照しつつ詳細に説明する。
図１は、本発明における基本ディスプレイの説明図であって、左斜線部分が、市販されているディスプレイ装置１の通常の外枠２を表している。その内側にある右斜線部分が画像表示部３の周りの支持枠である画像表示部支持枠４である。ここで、画像表示部３と画像表示部支持枠４を合わせたものを、本発明における基本ディスプレイ５と呼ぶ。
図２及び図３は本発明の第１の実施形態を示しており、図２は２つの基本ディスプレイ（液晶ディスプレイ）５，５を上下に配設した状態で１つの外枠７で支持して成る基本ユニット６の略斜視図を表している。この図において外枠７の内側の斜線を施した部分は、画像表示部支持枠４を表している。尚、これ以下の図では、この画像表示部支持枠４は図示しないことにする。
ここでの外枠７とは、複数個の基本ディスプレイ５を配列して保持するものを指しており、一般に言われる、例えば箱形状のものでその４面や５面である領域を囲むものだけを指しているわけではない。
図３は、図２の側面図であり、基本ユニット６は支持台８の上端に設けた付設の傾斜機構１８（チルト機構）により、上下方向への傾斜角度（垂直面内傾斜角度δ）を変化させた状態で保持自在となっている。
この第１の実施形態である基本ユニット６は、通常の外枠２を用いずに基本ディスプレイ５，５同士を連続して配置しているので、２つの表示画面を持つにも拘わらず、ディスプレイ装置としてコンパクトである。また、机の上で自由に移動できポータブルでもあり、従来に無い新しいタイプのディスプレイ装置である。
また、この第１の実施形態によれば、上下の基本ディスプレイ５，５の境界部をより細くでき、上下の画面の連続性が向上し、また外枠７の製作に必要な材料を節約でき、軽量化が図れる。更に、従来は２つのディスプレイ装置１を水平に並べて縦長の画像を表示することが行われていたが、この基本ユニット６を使用することにより、縦長の画像を上下に一覧表示することができ、効率的な作業が可能になる。また、付設の傾斜機構１８により、表示画面を適切な傾斜角度で保持でき、利用者にとって上下の画面が見やすくなる。
図４は、本発明の第２の実施形態として、上記の基本ユニット６を、水平方向に２つ配列し、上下に２面、左右に２面の合計４面からなる省スペースなマルチディスプレイ装置を示している。
この第２の実施形態によれば、コンピュータにマルチ画面用のグラフィックボードと、そのドライバーを組み込むことにより、マルチモニター作業ができる。すなわち、４画面一杯に１つの大きな画像が表示でき、また下側の画面を通常の作業用とし、上側の画面を参照用として用いることができ、作業効率の向上が図れる。
更に、表示部を90度回転させる機構およびその為の専用ソフトを必要とせずに、縦長や横長の画像を一覧表示できる。また、この基本ユニット６は、それらを多数個使用して、より多数画面のマルチディスプレイ装置に構成できるという拡張性がある。
図５は、本発明の第３の実施形態として、支持台８に支えられた１つの基本ディスプレイ５の上側に、垂直面内で傾斜させたもう一つの基本ディスプレイ５を、連結部材として固定ブロック１０を用いて連結したマルチディスプレイ装置を示している。即ち、下側の画面に対して上側の画面を、垂直面内である固定の角度に傾斜させ、画像を見やすくしている。ここで、上下の基本ディスプレイ５の側面と固定ブロック１０は、それぞれ適宜な手段により結合されている。この適宜な手段は、従来から知られた手段であり、例えば、締付けネジ１０ａ等の手段を用いる。尚、この図では、基本ディスプレイ５の側面と固定ブロック１０を直に締付けネジ１０ａで連結しているが、側面に、例えば板材をネジなどで締め付け、これを介して固定ブロック１０を連結させても良い。
図６は、第３の実施形態の変形例を示す側面図であり、これは１つの基本ディスプレイ５の上側に、別の基本ディスプレイ５を、可動式連結機構（長穴１１ａを有するブロック材１１と該長孔１１ａに滑合する締付けネジ１１ｂ）を用いて下側の基本ディスプレイ５に対する上側の基本ディスプレイの位置を調整可能にして連結したものである。
上記の連結機構としては、上記以外に多数穴を有するブロック材と締め付けネジを組み合わせても良い。
図７及び図８は、本発明の第４の実施形態を示しており、連結機構が、円弧状のレール１２と、それが嵌め合わされてスライドするガイド１３とを組み合わせたもの２組から成る例を示すものである。次にレール１２の一端を、一方の基本ディスプレイ５の側面板１５に、溶接あるいは固定ネジ等で固定する。また、ガイド１３を他方を基本ディスプレイ５の側面板１５に溶接あるいは固定ネジ等で固定する。そしてガイド１３に対してレール１２を上下動させると、下の画面に対する上の画面の角度が変化する。利用者が見えやすい角度に上の画面を固定するために、ガイド１３に設けたセットボルト１４によりレール１２を締め付ける。なお、レール１２がガイド１３から抜けるのを防止するために、レール１２の他端にストップリング１６を嵌着している。
なお、レール１２に数個の溝を設け、且つガイド１３に、その溝に嵌まり込むスライドピンを設けて、該スライドピンが係合する溝の位置を変える方式により、段階的に傾斜角度を変更する方式もある。
図９及び図１０は、本発明の第５の実施形態を示しており、これは連結機構として、両基本ディスプレイ５，５を連結する特殊蝶番２１を使用している例の右側面及びその要部拡大図である。図１０は、該蝶番の開き角を調整固定することにより、上下の基本ディスプレイ５，５の表示画面のなす角度θをある範囲内の任意の角度に調整して保持できる傾斜角度調整機構２０を備えている。
図１０において、下側の基本ディスプレイ５の側面（頂面）に特殊蝶番２１の連結半部２１ａを、上側の基本ディスプレイ５の側面（底面）に連結半部２１ｂを、適宜な手段（例えば、ネジ２２など）により結合させる。そして、連結半部２１ａ、２１ｂに、ネジ２２用の穴とは違う別の穴を設け、ネジ軸２３を貫通させ、その両端部にナット２４、２４を螺合させている。このネジ軸２３のいずれの位置にナット２４，２４を取り付けるかで、下側の基本ディスプレイ５に対する上側の基本ディスプレイ５の垂直面内での傾斜角度θを調整する。図１０で、符合２５はパイプ状のカラーを示している。これらが、傾斜角度調整機構２０を構成している。
例えば、図１０においてネジ軸２３に螺合するナット２４、２４の位置を、この図に示す状態よりも互いに近づけた場合、傾斜角度θは小さくなり、隣接する基本ディスプレイ５，５の表示画面は同一平面に近づく。逆に、ナット２４，２４の位置を互いに離した場合、傾斜角度θは大きくなり、双方の表示画面のなす角度が大きくなる。尚、上記の傾斜角度θを調整する場合、当該調整状態に応じて、上記カラー２５の長さを変化させることは言うまでもない。
また、カラー２５の代わりに、ネジ軸２３の長手方向に伸縮自在なコイルバネや、弾性材料からなるカラーを用いることもできる。また、２つのナット２４を追加して、それらを連結半部２１ａ、２１ｂの内側でネジ軸２３に螺合させて、既にある外側のナット２４と両方で、連結半部２１ａ又は２１ｂを挟んだ状態にして締め付けることにより、カラー２５の代用にする事もできる。
上記第４及び第５の実施形態によれば、利用者が見やすい角度に上の画面の傾きを調整して使用することができる。
また、第３乃至第５の各実施形態においても付設の傾斜機構１８を取り付けると、表示画面を上下方向に傾斜させた状態で保持自在となる。
図１１乃至図１５は、本発明の第６の実施形態を示すものである。本例に係わるマルチディスプレイ装置３０は、図１１に示すように水平方向に３個の基本ディスプレイ（液晶ディスプレイ）５〜５を配列して成る。中央の基本ディスプレイ５に対して、左右の基本ディスプレイ５，５を、蝶番３２、特殊蝶番３４により回動自在に連結させた構成にしている。
すなわち、図１１において、基端部に支持台８を設けた外枠７の内側に、中央の基本ディスプレイ５を配置し、この外枠７の両側面に、それぞれ左右の基本ディスプレイ５，５を設ける。そして中央の基本ディスプレイ５における外枠７の両側面と、上記左右の基本ディスプレイ５，５の外枠７における各一方の側面とは、上下に伸びる支軸３１と、支軸３１の上下２箇所位置に設けた蝶番３２，３４により連結されている。
なお、上記例では上下の蝶番３２，３４を、外枠７，７の側面の上端部と下端部にて連結しているが、これ以外の側面位置（例えば、側面の中央部と下端部）で連結しても構わない。また蝶番３２，３４の個数は、それぞれ１つ以上であっても良い。また、この例では、外枠７の側面に蝶番３２，３４を連結しているが、外枠７を介さないで、それぞれの画像表示部支持枠４同士を連結することもできる。
本例のマルチディスプレイ装置３０では、表示画面が見やすいように、中央の基本ディスプレイ５を図１３の如く、その画面の上側が利用者から遠ざかるように、角度δだけ上下方向に傾斜させている。更に、左右の基本ディスプレイ５，５を図１２の如く、中央のそれに対して、利用者に近づくように水平方向に角度φだけ傾斜させている。この場合、上記の支軸３１の上下に設けた蝶番３２，３４と外枠７，７との結合位置は、異ならせている。すなわち、上部に設けた蝶番３２の連結半部３２ａ，３２ｂは、その先端側（図１４の上方側）と外枠７の側面とで結合させている。一方、下部に設けた蝶番３４の連結半部２３４ａ，３４ｂは、その基端側（図１５の下方側）で、外枠７の側面に結合させている。
ところで、このような連結をさせるのは以下の理由による。つまり上記のように図１３においては、中央の基本ディスプレイ５を角度δだけ傾斜させている為、通常行われているように上下の蝶番３２，３４（図１４、図１５参照）で、各連結半部３２ａ，３２ｂ，３４ａ，３４ｂのネジ２２用の穴位置（支軸３１からネジ２２までの距離）を同一とした場合には、左右の基本ディスプレイ５，５の下端部が傾斜して画面が見づらくなっていしまう。
そこで、このような不具合を解消し、いずれの基本ディスプレイ５〜５においても見やすくすべく、上記のように上下の蝶番３２，３４におけるネジ２２の穴位置を異ならせている。こうする事により、隣接する基本ディスプレイ５，５の側面同士の間隔が、それらの上方側と下方側では異なることになる。
このマルチディスプレイ装置３０では、図１５に示したように、第５の実施形態と同じ傾斜角度調整機構２０を使用しており、利用者が見やすい傾斜角度φに、表示画面を調整して保持できる。
なお、上記第６の実施形態の変形例として、図１６に示したように、連結部材として蝶番３２と３４とを、その間を補足してつなげて一体にした一体蝶番３５を用いてもよい。この図で、符合３６，３７はそれぞれ、上下のネジ２２用の穴である。また、符合３８は、ネジ軸２３が貫通する穴を示している。この一体蝶番３５を使用すると、図１１において隣接する基本ディスプレイ５，５の隙間が見えなくなる利点がある。図１１では、蝶番３２と３４が上下に離れているため、その間に隙間ができるが、この変形例にはそれがない。
このマルチディスプレイ装置３０は、各基本ディスプレイ５と、図示していないコンピュータ本体とを電気的に接続し、コンピュータ本体からの指令に基づいて各基本ディスプレイ５に適宜の画面表示を行わせるようになっている。
例えば、このマルチディスプレイ装置３０を、前記したＣＡＤ，ＣＡＭ装置に使用する場合に、中央と右側の基本ディスプレイ５，５に設計すべき機械組立図を表示し、左側の基本ディスプレイ５に、設計変更したい部分を拡大表示させて修正することが出来る。尚この際には、中央と右側の基本ディスプレイ５，５の画面を、傾斜角度調整機構２０により同一平面にして組立図を表示させると良い。
また、上記の場合において、左側の基本ディスプレイ５に、部分拡大図の代わりに、機械部品の一覧表を表示させる事も出来る。このように使用することにより、組立図であれ、一覧表であれ、これらを同時に画面表示させることが出来るため、作業能率が向上する。また従来のように一覧表などを予めプリントアウトしておく必要もないため、用紙の無駄をなくし、省エネルギー化・省資源化が図れる。
また、このマルチディスプレイ装置３０を使用して、事務作業をする場合、３つの基本ディスプレイ５〜５のいずれかを、ワープロソフトによる書類作成用とし、残りの基本ディスプレイ５，５に参考資料や一覧表を表示させることが出来る。或いは、コンピュータ本体にＴＶチューナボードを組み込んでいる場合には、見たいＴＶ番組を表示させ、他の２つの基本ディスプレイでなすべき事務作業を処理できる。
これらのマルチ画面作業により、事務処理の効率化が図れ、更には多面的、多目的な使用を実現できる。そしてこのマルチディスプレイ装置３０の場合、中央の基本ディスプレイ５の支持台８だけで３つの基本ディスプレイ５〜５を保持しているので、机の上などでの接触スペースが少なくて済むという利点がある。
上記第６の実施形態においては、基本ディスプレイ５〜５を、中央および左右にそれぞれ配列させているが、図１７に示した第７の実施形態のように、基本ディスプレイ５の代わりに、上下に基本ディスプレイ５，５を配設した基本ユニット６を使用して６画面の構成にした、マルチディスプレイ装置にしてもよい。
なお、基本ディスプレイ５としては、上記各実施形態例は液晶ディスプレイ５〜５を採用しているが、これに代えてプラズマ・ディスプレイや有機ELディスプレイなどを使用することもできる。
産業上の利用可能性
この発明に係わるマルチディスプレイ装置は、表示すべき画像が大きい場合でも、その全体を表示可能とする一方で、複数の画像を表示させることも可能である。更に表示部を90度回転させる機構および専用のソフトを必要とせずに、縦長の画面や横長の画面を表示でき、ＣＡＤ，ＣＡＭ装置や事務処理用に限らず、ゲーム用も含めて、あらゆる用途に使われるコンピュータのディスプレイ装置として好適である。
【図１】
0003682467.tif 000002
【図２】
0003682467.tif 000003
【図３】
0003682467.tif 000004
【図４】
0003682467.tif 000005
【図５】
0003682467.tif 000006
【図６】
0003682467.tif 000007
【図７】
0003682467.tif 000008
【図８】
0003682467.tif 000009
【図９】
0003682467.tif 000010
【図１０】
0003682467.tif 000011
【図１１】
0003682467.tif 000012
【図１２】
0003682467.tif 000013
【図１３】
0003682467.tif 000014
【図１４】
0003682467.tif 000015
【図１５】
0003682467.tif 000016
【図１６】
0003682467.tif 000017
【図１７】
0003682467.tif 000018